(57)【要約】【課題】  従来の撮影装置は、ビデオムービー本体に入力表示一体型装置が一体に備えられているため、入力ペンによるメモ書き操作を行うことによってビデオムービーの位置が動き、撮影記録中の動画像に振れが生じる等の悪影響が出る可能性があった。【解決手段】  デジタルビデオカメラ１とは別に構成されたＰＣ１１において、マウス１４によって動画にメモ書き情報が入力される。入力されたメモ書き情報は、ＰＣ１１のＣＰＵ１２によってデジタルビデオカメラ１の動画記録手段４に送信され、動画記録手段４により、撮影手段３によって撮影された動画データと共に記録される。このため、動画の撮影中にメモ書き情報を入力しても、従来のように、デジタルビデオカメラ１の位置が動いて記録中の動画に振れが生じる等の悪影響が出なくなる。【選択図】  図２
2011135495.tif 000002
【特許請求の範囲】
【請求項１】
動画を撮影する撮影手段、および前記撮影手段によって撮影される動画を記録する動画記録手段を備える撮影装置と、
前記撮影手段によって撮影される動画データを受信して動画を表示する表示手段、前記表示手段に表示される動画にメモ書き情報を入力するメモ書き入力手段、および前記メモ書き入力手段で入力されたメモ書き情報を前記動画記録手段に送信して前記撮影手段によって撮影される動画データと共にメモ書き情報を前記動画記録手段に記録させるメモ書き記録手段を備える外部装置と
から構成される撮影画像へのメモ書きシステム。
【請求項２】
請求項１に記載の撮影画像へのメモ書きシステムにおいて、
前記メモ書き入力手段は、動画を構成する静止画の順番を示したフレーム番号に対応して、メモ書き情報が入力された静止画における位置情報をメモ書き情報として生成することを特徴とする撮影画像へのメモ書きシステム。
【請求項３】
動画を撮影する撮影手段、および前記撮影手段によって撮影される動画を記録する動画記録手段を備える撮影装置において、
前記動画記録手段は、外部装置から受信されるメモ書き情報を前記撮影手段によって撮影される動画データと共に記録することを特徴とする撮影装置。
【発明の詳細な説明】
【技術分野】
【０００１】
本発明は、動画データと共にメモ書き情報を記録させる撮影画像へのメモ書きシステムおよび撮影装置に関するものである。
【背景技術】
【０００２】
従来、この種の撮影装置としては、例えば、特許文献１に開示されたビデオムービーがある。このビデオムービーには、入力ペン、フラットディスプレイ、および入力表示一体型装置が備えられている。入力表示一体型装置は、フラットディスプレイ上に積層配置されている透明な座標入力部が一体化されている。このビデオムービーは、使用者が動画像の録画中あるいは再生中にメモ書きスイッチを押して、入力ペンで入力表示一体型装置にメモを書き込むことにより、書き込まれたメモは、１画面メモ書き情報記憶部に記憶されると同時に、画像情報と共に、ビデオテープに記録される。
【先行技術文献】
【特許文献】
【０００３】
【特許文献１】特開平４−１５６７９１号公報
【発明の概要】
【発明が解決しようとする課題】
【０００４】
しかしながら、上記従来の撮影装置は、ビデオムービー本体に入力表示一体型装置が一体に備えられているため、入力ペンによるメモ書き操作を行うことによってビデオムービーの位置が動き、撮影記録中の動画像に振れが生じる等の悪影響が出る可能性があった。また、ビデオムービー本体に入力表示一体型装置が備えられているため、動画像の撮影を行う者とメモ書き操作を行う者とがビデオムービーの使用者に限られてしまう。このため、上記従来の撮影装置は、動画像の撮影を行う者とメモ書き操作を行う者とに別れてメモ書きすることができなかった。
【課題を解決するための手段】
【０００５】
本発明は、このような課題を解決するためになされたもので、
動画を撮影する撮影手段、および撮影手段によって撮影される動画を記録する動画記録手段を備える撮影装置と、
撮影手段によって撮影される動画データを受信して動画を表示する表示手段、表示手段に表示される動画にメモ書き情報を入力するメモ書き入力手段、およびメモ書き入力手段で入力されたメモ書き情報を動画記録手段に送信して撮影手段によって撮影される動画データと共にメモ書き情報を動画記録手段に記録させるメモ書き記録手段を備える外部装置と
から、撮影画像へのメモ書きシステムを構成した。
【０００６】
また、本発明は、動画を撮影する撮影手段、および撮影手段によって撮影される動画を記録する動画記録手段を備える撮影装置において、
動画記録手段が、外部装置から受信されるメモ書き情報を撮影手段によって撮影される動画データと共に記録することを特徴とする。
【発明の効果】
【０００７】
本発明によれば、撮影装置とは別に構成された外部装置において、メモ書き入力手段によって動画にメモ書き情報が入力される。入力されたメモ書き情報は、外部装置のメモ書き記録手段によって撮影装置の動画記録手段に送信され、動画記録手段により、撮影手段によって撮影された動画データと共に記録される。このため、動画の撮影中にメモ書き情報を入力しても、従来のように、撮影装置の位置が動いて記録中の動画に振れが生じる等の悪影響が出なくなる。また、動画の撮影を行う者とメモ書き操作を行う者とに別れて、メモ書きすることができるようになる。
【図面の簡単な説明】
【０００８】
【図１】本発明の一実施形態による撮影画像へのメモ書きシステムの構成を示した概略図である。
【図２】図１に示す撮影画像へのメモ書きシステムの電気回路構成を示すブロック図である。
【図３】図１に示す撮影画像へのメモ書きシステムの制御処理を示すフローチャートである。
【図４】（ａ）は、ＰＣ上でソフトウェアを起動させた際にＰＣのモニタに表示されるＵＩ画面の構成を示す図、（ｂ）は、メモ書きした際のＵＩ画面を示す図である。
【図５】（ａ）は、ライブビューデータ表示領域にメモ書きの一部が入力されたＵＩ画面を示す図、（ｂ）は、（ａ）のメモ書き情報の内容を示したメモデータの構成を示す図である。
【発明を実施するための形態】
【０００９】
次に、本発明による撮影画像へのメモ書きシステムを、デジタルビデオカメラとＰＣ（Personal Computer：パーソナルコンピュータ）とを用いて構成した場合における、本発明を実施するための一形態について説明する。
【００１０】
図１は、この一実施形態による撮影画像へのメモ書きシステムの構成を示した概略図である。
【００１１】
撮影画像へのメモ書きシステムは、撮影装置を構成するデジタルビデオカメラ１、外部装置を構成するＰＣ１１、および、デジタルビデオカメラ１とＰＣ１１とを接続するケーブル２１によって構成されている。
【００１２】
デジタルビデオカメラ１は、図２に示すように、ＣＰＵ（Central Processing Unit）２、撮影手段３、動画記録手段４、および通信ポート５を備えている。ＣＰＵ２は、図示しない内蔵のデータＲＯＭ（Read Only Memory）に格納されている制御プログラムに従い、図示しないＲＡＭ（Random Access Memory）を一時記憶作業領域として、デジタルビデオカメラ１内部の各回路について種々の制御処理を行う。
【００１３】
ＣＰＵ２は、動画を撮影する撮影手段３に接続されている。撮影手段３は、撮影レンズ、ＣＣＤ（Charge Coupled Device）、ＴＧ（Timing Generator）、Ｖ−ｄｒｉｖｅｒ、およびＡＦＥ（Analog Front End）などから構成される。撮影レンズによってデジタルビデオカメラ内部に導かれた被写体光は、撮像素子を構成するＣＣＤの受光面に入射する。なお、撮像素子はＣＣＤを用いずにＣＭＯＳ（Complementary Metal Oxide Semiconductor）などを用いてもよい。ＣＣＤは、Ｖ−ｄｒｉｖｅｒによって制御され、ＴＧによって生成されるタイミングに従い、受光面に入射する被写体光を電荷として蓄積して、被写体像を撮像する。ＣＣＤの受光面に結像した被写体像はアナログの撮像信号に変換され、この撮像信号はＴＧによって生成されるタイミングに従ってＡＦＥに入力される。ＡＦＥは、ＣＣＤが出力したアナログの撮像信号の雑音を除去し、その信号を増幅してデジタルの撮像信号に変換する。ＡＦＥによって変換されたデジタルの撮像信号は、ＴＧによって生成されるタイミングに従ってＣＰＵ２に入力される。ＣＰＵ２は、入力した撮像信号に対してホワイトバランス処理やガンマ補正などの画像処理を行って現像画像データを生成する。そして、現像画像データについて、フレーム間予測、動き補償等のアルゴリズムを組合せた圧縮処理を行い、ＭＰＥＧ（Motion Picture Experts Group）等の動画データを生成する。生成された動画データは、ＣＰＵ２の制御に従い、メモリカード等の動画記録手段４に記録される。また、デジタルビデオカメラ１には、ケーブル２１を介して外部装置との接続を行うための、ＵＳＢ（Universal Serial Bus）等のインターフェースで構成された通信ポート５が設けられている。
【００１４】
ＰＣ１１は、ＣＰＵ１２、キーボード１３、マウス１４、通信ポート１５、およびモニタ１６を備えている。ＣＰＵ１２は、キーボード１３やマウス１４の操作に応じて、図示しないＨＤＤ（Hard Disk Drive）に格納されているソフトウェアに従い、図示しないメモリを一時記憶作業領域として種々の制御処理を行う。
【００１５】
ＰＣ１１には、ケーブル２１を介して外部装置との接続を行うための、ＵＳＢ等のインターフェースで構成された通信ポート１５が設けられている。ＰＣ１１は、撮影手段３によってデジタルビデオカメラ１で撮影された動画データを通信ポート５、ケーブル２１および通信ポート１５を介して受信すると、受信した動画データをＣＰＵ１２の制御によって液晶ディスプレイであるモニタ１６に表示させる。モニタ１６は、撮影手段３によって撮影される動画データを受信して動画を表示する表示手段を構成している。このモニタ１６に表示される動画には、マウス１４を操作することによってメモ書き情報が入力される。マウス１４は、モニタ１６に表示される動画にメモ書き情報を入力するメモ書き入力手段を構成している。本実施形態では、このメモ書き入力手段は、動画を構成する静止画の順番を示したフレーム番号に対応して、メモ書き情報が入力された静止画における位置情報を後述するようにメモ書き情報として生成する。また、ＣＰＵ１１はメモ書き記録手段を構成しており、マウス１４で入力されたメモ書き情報を通信ポート１５、ケーブル２１および通信ポート５を介してデジタルビデオカメラ１の動画記録手段４に送信し、撮影手段３によって撮影される動画データと共にメモ書き情報を動画記録手段４に記録させる。
【００１６】
次に、図３に示すフローチャートを参照して、本実施形態による撮影画像へのメモ書きシステムにおける各ＣＰＵ２、１２による制御処理について説明する。
【００１７】
ＰＣ１１に備えられたＣＰＵ１２は、Ｓ１において、ＨＤＤ内に格納されたメモ書き情報を入力するソフトウェア（以下、ソフトウェアと言う）を起動させる使用者の操作が行われたか否かを、判定する。ソフトウェアを起動させる操作が行われておらず、Ｓ１の判定結果が“Ｎｏ”であった場合、ＣＰＵ１２は、Ｓ１の処理を繰り返す。
【００１８】
一方、ソフトウェアを起動させる操作が行われてＰＣ１１上でソフトウェアが起動し、Ｓ１の判定結果が“Ｙｅｓ”であった場合、ＣＰＵ１２は、ソフトウェアに従った制御処理を行うようになり、モニタ１６に例えば図４（ａ）に示す構成のＵＩ（User Interface）画面３１を表示させる。続いて、ＣＰＵ１２は、デジタルビデオカメラ１の撮影手段３で撮影された画像データをＰＣ１１へ送信させるコマンドを、通信ポート１５を介してデジタルビデオカメラ１に送信する。デジタルビデオカメラ１のＣＰＵ２は、上記コマンドを受信すると、Ｓ２において、撮影手段３によって撮影された画像データを通信ポート５を介してＰＣ１１に送信する。ＣＰＵ１２は、画像データを受信すると、Ｓ３において、図４（ａ）に示すように、ＵＩ画面３１のライブビューデータ表示領域３２に受信した画像データを表示させる。このライブビューデータ表示領域３２に表示される画像データは順次更新して表示され、撮影手段３で撮影される動画がＵＩ画面３１上でライブビュー表示される。
【００１９】
ＣＰＵ１２は、Ｓ４において、キーボード１３またはマウス１４の操作によってＵＩ画面３１の右側に配置された録画開始釦３３が、現在の操作位置を指し示すポインタ３８によって押下操作されたか否かを、判定する。録画開始釦３３が押下操作されず、Ｓ４の判定結果が“Ｎｏ”であった場合、処理はＳ２に戻る。一方、録画開始釦３３が押下操作されて、Ｓ４の判定結果が“Ｙｅｓ”であった場合、ＣＰＵ１２は、動画記録を開始するコマンドをＣＰＵ２に送信する。ＣＰＵ２は、このコマンドを受信すると、Ｓ５において、撮影手段３によって撮影される画像データを動画データとして記録し始める。続いて、ＣＰＵ２は、Ｓ６において、動画記録手段４に動画データを記録しながら、デジタルビデオカメラ１からＰＣ１１に動画データをライブビューデータとして送信する。このライブビューデータには、動画データを構成する各静止画像データを識別するフレーム番号が含まれている。ＣＰＵ１２は、Ｓ７において、デジタルビデオカメラ１からライブビューデータを受信すると、ＵＩ画面３１におけるライブビューデータ表示領域３２の表示に受信したライブビューデータを反映させる。
【００２０】
ライブビューデータ表示領域３２に撮影手段３で撮影される動画がライブビュー表示されている最中に、キーボード１３またはマウス１４の操作によってＵＩ画面３１の右側に配置されたメモ釦３５が押下操作されると、ポインタ３８が図４（ａ）に示す矢印の形から図４（ｂ）に示す鉛筆の形に切り換わる。この状態でマウス１４の左釦１４Ｌ（図１参照）をクリックしながらライブビューデータ表示領域３２内でポインタ３８をドラッグすると、その軌跡に応じてライブビュー画面上にメモ書きが行われる。このメモ書きは消去釦３６が押下操作されると消去される。
【００２１】
ＣＰＵ１２は、Ｓ８において、ライブビュー画面上にメモ書きがされたか否かを判定する。ライブビュー画面上にメモ書きがされて、Ｓ８の判定が“Ｙｅｓ”であった場合、ＣＰＵ１２は、Ｓ９において、ライブビューデータ表示領域３２に例えば図４（ｂ）に示すような被写体像の名前を指し示す“たなかさん↓”とのメモ書きを合成表示させる。そして、Ｓ１０において、メモ書きされたメモ書き情報をメモデータとしてＰＣ１１のメモリまたはＨＤＤに記録する。
【００２２】
例えば、ライブビューデータ表示領域３２に図５（ａ）に示すようなメモ書きが入力されると、図５（ｂ）に示す内容のメモデータが作成される。メモリまたはＨＤＤに記録されるメモデータは、動画データを構成する静止画の順番を示したフレーム番号、並びに、このフレーム番号に対応した、メモ書きの静止画における入力位置情報、および描画の種類の情報から構成されている。入力位置情報はＸ座標データおよびＹ座標データからなる。Ｘ座標データはライブビューデータ表示領域３２の水平方向の位置を表しており、Ｘ座標の欄にはライブビューデータ表示領域３２の枠の左端部から例えば１９２０ドット離れた枠の右端部までの範囲内の値が記録される。また、Ｙ座標データはライブビューデータ表示領域３２の垂直方向の位置を表しており、Ｙ座標の欄にはライブビューデータ表示領域３２の枠の上端部から例えば１０８０ドット離れた枠の下端部までの範囲内の値が記録される。また、描画の種類には始点・中点・終点・消去の４種類がある。種類の欄には、マウス１４の左釦１４Ｌを押したポインタ３８のドラッグ開始点すなわちメモ書きの始点が“１”、ドラッグ中の移動点すなわちメモ書きの中点が“０”、マウス１４の左釦１４Ｌを離したドラッグ解除点すなわちメモ書きの終点が“２”、消去釦３６の操作に応じたメモ書きの消去が“３”として、記録される。
【００２３】
図５（ｂ）に示すメモデータは、フレームレートを例えば毎秒３０フレームとした場合の、図５（ａ）に示した軌跡４１のメモ書き情報である。このメモデータを参照すると、種類の欄に“１”が記録されているフレーム番号１８７６の入力位置（１２０４、２３４）の始点Ｐ１でポインタ３８のドラッグが開始され、種類の欄に“０”が記録されているフレーム番号１８８２からフレーム番号１８８６にかけて軌跡４１がメモ書きされ、種類の欄に“２”が記録されているフレーム番号１９０６の入力位置（１２６０、２１８）の終点Ｐ２でポインタ３８のドラッグが解除されている。データが記録されていないフレーム番号１８７７からフレーム番号１８８１間、およびフレーム番号１８８７からフレーム番号１９０５間は、ポインタ３８のドラッグが停止していることを表し、フレーム番号が異なる同じ座標のデータが大量に作成されるのが避けられている。また、種類の欄に“３”が記録されているフレーム番号２２４４で消去釦３６が操作されて軌跡４１が消去されている。メモ書きが消去された際の位置情報は、Ｘ座標およびＹ座標データに固定値（０，０）が記録される。従って、図５（ｂ）に示すメモデータは、軌跡４１が、フレーム番号１８７６からフレーム番号１９０６の３０フレーム、つまり、約１秒間かけて、始点Ｐ１から終点Ｐ２までの右上がりに書かれ、軌跡４１を書き終えてから約１０秒後に軌跡４１が消去されていることを表している。
【００２４】
ＣＰＵ１２は、Ｓ１０のメモデータ記録処理を終えた後、またはメモ入力がなくてＳ８の判定結果が“Ｎｏ”であった場合、Ｓ１１において、ＵＩ画面３１の右側下部に配置された図４（ａ）に示す終了釦３７が押下操作されたか否かを、判別する。終了釦３７が押下操作されず、Ｓ１１の判定が“Ｎｏ”であった場合、処理はＳ５に戻る。一方、終了釦３７が押下操作されて、Ｓ１１の判定が“Ｙｅｓ”であった場合、ＣＰＵ１２は、動画記録を終了させるコマンドをＣＰＵ２に送信して動画記録手段４への動画データの記録を終了させ、ステップ１２において、ＰＣ１１に記録したメモデータをデジタルビデオカメラ１へ送信する。デジタルビデオカメラ１のＣＰＵ２は、ステップ１３において、動画データのベンダー独自情報格納領域にメモデータを追加し、動画データとメモデータとを１つの動画ファイルにまとめて動画記録手段４に記録し直す。このＳ１３において作成された動画ファイルは、デジタルビデオカメラ１およびＰＣ１１上での再生時に、ベンダー独自情報格納領域に記録されたメモデータが参照され、フレーム毎の描画が再現されることにより、メモ書きのオーバーレイ表示が行われる。また、ベンダー独自情報格納領域に記録されたメモデータを感知しないデジタルビデオカメラやソフトウェアでの再生時には、メモ書きのオーバーレイ表示が行われず、動画のみが再生表示される。次に、ＣＰＵ１２は、Ｓ１４において、ソフトウェアを終了させる操作が行われたか否かを判別する。この判別が“Ｎｏ”であった場合、処理はＳ２へ戻る。一方、ソフトウェアを終了させる操作が行われて、Ｓ１４の判別が“Ｙｅｓ”であった場合、ＣＰＵ１２は、Ｓ１５において、ＵＩ画面３１を閉じてソフトウェアを終了させる。
【００２５】
このような本実施形態によるメモ書きシステムによれば、上述したように、デジタルビデオカメラ１とは別に構成されたＰＣ１１において、マウス１４によって動画に図４（ｂ）に示すようなメモ書き情報が入力される。入力されたメモ書き情報は、図３，Ｓ１２において、ＰＣ１１のＣＰＵ１２によってデジタルビデオカメラ１の動画記録手段４に送信され、Ｓ１３において、動画記録手段４により、撮影手段３によって撮影された動画データと共に記録される。このため、本実施形態によるメモ書きシステムによれば、動画の撮影中にメモ書き情報を入力しても、従来のように、デジタルビデオカメラ１の位置が動いて記録中の動画に振れが生じる等の悪影響が出なくなる。また、動画の撮影を行う者とメモ書き操作を行う者とに別れて、メモ書きすることができるようになる。
【００２６】
また、本実施形態によるメモ書きシステムによれば、メモ書き情報は、マウス１４により、図５（ｂ）に示すように、動画を構成する静止画の順番を示したフレーム番号に対応して、メモ書き情報が入力された静止画における位置情報として生成される。このため、メモ書き情報を参照することにより、メモ書き情報が入力されたタイミングや、静止画におけるメモ書き入力位置を把握することができる。従って、動画の再生時、このタイミングおよびメモ書き入力位置に基いて、メモ書き情報が再現される。
【００２７】
なお、上記実施形態においては、メモ書き情報の入力を動画データの記録時に行う場合について説明したが、本発明はこれに限られることはない。例えば、動画データの再生時にメモ書き情報の入力を行うようにしてもよい。また、動画データの再生時にメモ書き情報の入力を行い、そのメモ書き情報を動画データの記録時に作成したメモデータとは別のメモデータとして作成してもよい。そして、その後の動画データ再生時において、動画データの記録時に作成したメモデータと動画データの再生時に作成した他のメモデータとを合わせて表示させたり、別々に表示させたり、色を変えて表示させたりしてもよい。
【００２８】
また、上記実施形態においては、メモ書き情報の入力をマウス１４で行う場合について説明したが、本発明はこれに限られることはない。例えば、マウス１４に代えて、キーボード１３によって文字等を入力したり、タッチパネル機能を有するモニタやタブレットを用いてメモ書き情報の入力をしたりするようにしてもよい。なお、タブレットを用いてメモ書き情報の入力を行った場合、筆圧に応じて線の太さを変える構成にしてもよい。
【００２９】
また、上記実施形態においては、ＰＣ１１のソフトウェアによって生成されるコマンドによって、動画データの記録開始や停止を制御する場合について説明したが、本発明はこれに限られることはない。例えば、デジタルビデオカメラ１に備えられた釦操作によって生成されるコマンドに応じて、動画データの記録開始や停止を制御してもよい。
【００３０】
また、上記実施形態においては、撮影画像へのメモ書きシステムを構成するデジタルビデオカメラ１とＰＣ１１とをケーブル２１で接続する構成について説明したが、本発明はこれに限られることはない。例えば、システムをデジタルビデオカメラ１とＰＣ１１とを赤外線などの無線通信で接続するようにしてもよい。
【産業上の利用可能性】
【００３１】
上記実施形態では、本発明による撮影画像へのメモ書きシステムを構成する撮影装置をデジタルビデオカメラに適用した場合について説明したが、本発明はこれに限られることはない。例えば、動画データを記録する構成を備えた、静止画を撮影するデジタルカメラのような撮影装置に本発明を適用してもよい。このような撮影装置によっても、上記実施形態と同様な作用・効果が奏される。また、上記の実施形態においては、本発明による撮影画像へのメモ書きシステムを構成する外部装置をＰＣに適用した場合について説明したが、入力機能を備えた携帯型電子機器などの外部装置に、本発明を適用することも可能である。このような外部装置に本発明を適用した場合においても、上記実施形態と同様な作用・効果が奏される。
【符号の説明】
【００３２】
１…デジタルカメラ、２，１２…ＣＰＵ、３…撮影手段、４…動画記録手段、５，１５…通信ポート、１１…ＰＣ、１３…キーボード、１４…マウス、１６…モニタ、２１…ケーブル
【図１】
2011135495.tif 000003
【図２】
2011135495.tif 000004
【図３】
2011135495.tif 000005
【図４】
2011135495.tif 000006
【図５】
2011135495.tif 000007